(57)【要約】【課題】  導電性の流動体を収容する少なくとも２つの室及び隣接する各室の間に連通可能な隔壁が配置される柔軟な非導電性樹脂製の多室容器の隔壁におけるピンホールを高精度高能率で検出する。【解決手段】  金属面を有する第１電極４２、金属面を有する第２電極５２、及び第１電極４２と第２電極５２の間に接続される電流計６２と直流電源６４を含み、両電極へ直流電源から電圧を印加すると共に第１電極の金属面及び第２電極の金属面を上昇させそれぞれ第１室の外壁４４及び第２室の外壁５４へ接触させた時に電流計６２により検出される電流値に基づき隔壁３２におけるピンホールを検出する。【選択図】図１
2005331469.tif 000002
【特許請求の範囲】
【請求項１】
導電性の流動体を収容する少なくとも２室及び隣接する各室の間に配置される隔壁を含んだ柔軟な非導電性樹脂製の多室容器の隔壁のピンホールを検出する検出装置であって、
少なくとも２個の電極並びに各電極に接続される少なくとも１個の直流電源及び電流計を含み、各電極は各室の外壁にそれぞれ接触するものであり、
各電極が各室の外壁に接触した後、前記直流電源から前記電極に電圧が瞬時に印加される時に電流計により検出される電流値に基づいて隔壁におけるピンホールを検出する検出装置。
【請求項２】
導電性の流動体を収容する少なくとも２室及び隣接する各室の間に配置される隔壁を含んだ柔軟な非導電性樹脂製の多室容器の隔壁のピンホールを検出する検出装置であって、
少なくとも２個の電極並びに各電極に接続される少なくとも１個の直流電源及び電流計を含み、各電極は各室の外壁にそれぞれ接触するものであり、
前記直流電源から各電極に電圧を印加すると共に、各電極もしくは各室の外壁を移動させ、瞬時に接触させた時に電流計により検出される電流値に基づいて前記隔壁におけるピンホールを検出する検出装置。
【請求項３】
前記各電極の各室の外壁との接触面はいずれも１０ｃｍ２以上であり、前記直流電源は３０００ボルト以上の高電圧を供給する請求項１又は２に記載の検出装置。
【請求項４】
前記多室容器の各室はそれぞれ輸液成分を含み、前記隔壁は隣接する各室を外部から押圧することにより連通され前記隣接する各室の輸液成分が混合可能となるものである請求項１乃至３のいずれか１項に記載の検出装置。
【請求項５】
前記各電極は、前記多室容器を搬送する搬送設備の搬送路中に配置される請求項１乃至４のいずれか１項に記載の検出装置。
【請求項６】
前記各電極は、その上方に前記搬送設備により搬送される多室容器の各室が位置されたときに上昇され、前記各電極は、各室の外壁に瞬時に接触される請求項２に記載の検出装置。
【発明の詳細な説明】
【技術分野】
【０００１】
本発明は、各室の間に連通可能な隔壁が配置され各室に導電性の液体が収容された柔軟な非導電性樹脂製の多室容器の隔壁におけるピンホールを検出する検出装置に関する。多室容器は、電気絶縁性の柔軟なシートからなる複数の室の各々に導電性流動体を収容し隣接する各室の間に連通可能な隔壁が配置される多室容器、例えば、点滴用の輸液成分を収容した２つの室及び両室の間に手で押圧することにより連通可能な隔壁が配置された輸液バッグであり、本発明は、このような多室容器の各室の間に配置される連通可能な隔壁における密閉不良、即ちピンホールの存在を確実に且つ高速で検出可能なピンホール検出装置に関する。
【背景技術】
【０００２】
複数の物質を分離して密封し、使用直前にこれらを混合することのできる種々の多室容器が開発されている。特に医薬品の分野においては、相互作用により着色等の経時変化や劣化を起こす複数の薬剤を多室容器に充填し使用直前に室間を連通し混合することのできる技術の需要が大である。例えば、点滴用の輸液成分を収容した２つの室及び両室の間に手で押圧することにより連通可能な隔壁が配置された輸液バッグは、周知である。このような輸液バッグにおいては、ブドウ糖とアミノ酸液のように相互作用により着色等の経時変化や劣化を起こす成分が、各室に分けて収容され、患者に投与する直前に輸液バッグを手で押圧し隔壁を連通させ２つの室の輸液成分を混合するようにされる。
【０００３】
輸液バッグの隔壁は、使用時に人手により容易に連通されることが必要であるため製造時に強固に溶着することができず、密閉不良やピンホールの発生は避け難い。他方、輸液バッグの隔壁は、輸液バッグが製造されてから使用のため連通されるまで、輸液の経時変化や劣化を起こさないように、輸液バッグの各室の間を確実に封鎖する性能を有することが必要である。そのため製造後の輸液バッグの隔壁における密閉不良やピンホールの存在を確実に且つ高速で検出することが重要な課題である。
【０００４】
特許文献１（特開平５−１０９１３号公報）は、複室容器の独立室間の密閉不良検査装置を開示する。この装置は、複室容器の２つの独立室に接近してそれぞれ配設される第１及び第２電極と、第１電極に接続された交流電源と、第１電極と第２電極との間の交流電流を測定する電流測定手段を備える。２つの独立室の間の境界に密閉不良がない場合は測定電流値が小さく、密閉不良がある場合は測定電流値が大きくなることに基づき、密閉不良が検出可能とされる。また、上記の方法では５０μｍ以下の密閉不良の検出が困難なため、５０μｍ以下の密閉不良については、電流測定に代えて２つの独立室の間の境界に生じる光強度の違いに基づき、密閉不良が検出可能とされる。
しかし、上記、交流電源を用いて電流を測定する電流測定手段においては、原理的に暗電流が大きく、十分なＳ／Ｎ比が得られず、５０μｍ以下のピンホールの検出はきわめて困難であり、スパーク光を検出する光強度測定手段を併用せざるを得ない。そのため、二つの技術が必要となり、複雑で高額な装置となるため、好ましくない。
【特許文献１】特開平５−１０９１３号公報
【特許文献２】特開平３−１８９５３１号公報
【０００５】
特許文献２（特開平３−１８９５３１号公報）は、隔離手段により複数の室に隔離された容器と、該複数の室に隔離して封入された液状物とからなる液状物入り容器の隔離手段に生じたピンホールを検出する方法を開示する。この方法は、一方の室に封入された液状物に該一方の室の容器壁を介して電圧又は電流を与え、他方の室の液状物に発生する電気的な変化を該他方の室の容器壁を介して測定することによって双方の室間に生じたピンホールを検出する。特許文献２の発明は、導電性のないプラスチック製の板を被検査物に接触させるものであり、プラスチック製の板と室内の液体との間にコンデンサーは形成されず、十分な効果が得られない。
【発明の開示】
【発明が解決しようとする課題】
【０００６】
本発明は、隣接する２つの室の間に連通可能な隔壁が配置され、各室に導電性の流動体が収容された柔軟な非導電性樹脂製の多室容器の隔壁におけるピンホールを検出する検出装置において、検出精度を向上させ、ピンホールの直径（開通幅）が５０μｍより小さい場合も正確に且つ高速で検出することを可能にすることである。本発明の他の目的は、上記検出装置の精度を向上するため、電極の最適な形状構造配置を提供することである。本発明の別の目的は、上記検出装置の検出速度を向上させるため、搬送設備の最適構造を提供することである。本発明のその他の目的、利点は、以下の説明において明らかにされる。
【課題を解決するための手段】
【０００７】
本発明のピンホール検出装置により検査される柔軟な非導電性樹脂製多室容器は、導電性の流動体を収容する少なくとも２室及び隣接する各室の間に配置される隔壁を含み、前記隔壁は使用前に外部から圧力を加えることにより開通され隣接する各室が連通される。本発明の第１の特徴によれば、検出装置は、少なくとも２個の電極並びに各電極に接続される少なくとも１個の直流電源及び電流計を含み、各電極が外壁にそれぞれ接触した後、前記直流電源から各室の外壁に電圧が瞬時に印加される時に電流計により検出される電流値に基づいて隔壁におけるピンホールを検出する。
【０００８】
本発明の第２の特徴によれば、検出装置は、少なくとも２個の電極並びに各電極に接続される少なくとも１個の直流電源及び電流計を含み、各電極は各室の外壁にそれぞれ接触して配置可能なものであり、前記直流電源から各電極に電圧を印加すると共に、各電極もしくは各室の外壁を移動させ、瞬時に接触させた時に電流計により検出される電流値に基づき前記隔壁におけるピンホールを検出する。本発明において流動体は、柔軟な非導電性樹脂製の多室容器の各室に密封な、固まらないで流れ動く流動物を意味し、医療点滴用の輸液、各種医療用・家庭用の流動物などを含む。本発明において流動体は、更に、水、果汁、牛乳、醤油、ソース、みりん、酢、油や透析液のような低粘性のものや、味噌、おろしわさびなどのように半固形物が混入しかつ粘性の非常に高いものや、ねりからし、マヨネーズ、ケチャップ、ルウ、クリーム、ルウ味噌、ヨーグルト、経口栄養剤、経腸栄養剤などの粘性の高いもの、液体洗剤やクリーム状化粧品などのパウチ製品内容物、スポーツドリンクや液体を媒質としたサプリメントなどの機能性食品、カレー、スープ、味噌汁、流動食など液体を媒質とした固形物混入のレトルト食品などを含む。
【０００９】
本発明の検出装置は、次の特徴を含むことができる。（１）前記各電極の各室の外壁との接触面はいずれも１０ｃｍ２以上である。（２）前記直流電源は３０００ボルト以上の高電圧を供給するものである。（３）前記多室容器の各室はそれぞれ輸液成分を含み、前記隔壁は隣接する各室を外部から押圧することにより連通され前記隣接する各室の輸液成分が混合可能となるものである。（４）前記各電極は、前記多室容器を搬送する搬送設備の搬送路中に配置される。（５）前記各電極は、その上方に前記搬送設備により搬送される多室容器の各室が位置されたときに上昇され、前記各電極は、各室の外壁に瞬時に接触される。
【発明を実施するための最良の形態】
【００１０】
図１は、本発明の検出装置４０を用いて輸液バッグ１０の第１室１２と第２室２２の間の連通可能な隔壁３２におけるピンホール（密着不良）を検出する原理を示す配置図であり、輸液バッグ１０は概略断面図により示される。図２は、輸液バッグ１０の概略平面図である。図１及び図２に示すように、輸液バッグ１０は、薬液Ｍ１を収容する第１室１２、薬液Ｍ２を収容する第２室２２、及び両室の間に配置される連通可能な隔壁３２、薬液を輸液バッグ内部から外部へ送出させるためのポート部１８、及び吊り下げ用の孔２６を備える。薬液Ｍ１及び薬液Ｍ２は導電性であり、第１室、第２室、隔壁３２等は、柔軟な非導電性樹脂により作られる。
【００１１】
図１及び図２に示すように、第１室１２及び第２室２２は、２枚重ねた柔軟な非導電性樹脂フィルム２０の周縁部１４、１６、２４を相互に強固に接着して形成される袋状空間を隔壁３２により仕切ることにより形成される。隔壁３２は、樹脂フィルム２０の隣接する上下の表面を加熱溶融させる方法等により連通（剥離）可能に接着することにより形成される。隔壁３２は、第１室又は第２室の薬液を外部から押圧することにより開放され、それにより輸液バッグ１０の第１室と第２室が連通され、薬液Ｍ１とＭ２が混合される。隔壁３２は、連通可能に弱い接着力で接着されるため、しばしば第１室１２及び第２室２２を連通するような接着不良、即ちピンホールを含む。
【００１２】
図１において、ピンホールを検出する検出装置４０は、第１室１２の外壁４４に接して配置される金属面（導電性材料の接触面）を有する第１電極４２、第２室２２の外壁５４に接して配置される金属面を有する第２電極５２、及び第１電極４２と第２電極５２の間に接続される電流計６２と直流電源６４を含む。第１室の外壁４４に第１電極４２の金属面が接触され、第２室の外壁５４に第２電極５２の金属面が接触され、且つ両電極へ前記直流電源６４から電圧が印加されるときに電流計６２により検出される電流値に基づいて隔壁３２における密閉不良即ちピンホールを検出する。
【００１３】
電圧の印加は、薬液バッグを搬送して、第１室の外壁４４に第１電極４２と、第２室の外壁５４に第２電極５２の金属面が接触された後、図示しないスイッチをオンにすることにより直流電源６４から電流計６２と第１電極４２の金属面を介して第１室の外側４４及び直流電源６４から第２電極５２の金属面を介して第２室の外壁５４に同時に且つ瞬時に行うことができる。また、直流電源６４に接続され電圧が印可された状態の第１電極４２及び第２電極５２上へ薬液バッグを瞬時に移動させるか、又は各電極を瞬時に移動して第１室の外側４４に第１電極４２の金属面と第２室の外壁５４に第２電極５２の金属面が同時に且つ瞬時に接触されることによって行うことができる。図１の検出装置４０において、第１電極４２の金属面及び第２電極５２の金属面はいずれも１０ｃｍ２以上であり、直流電源６４は３０００ボルト以上の高電圧を供給する。電流計６２により検出される電流値は、第１電極４２、第２電極５２及び両電極の間の多室容器、即ち輸液バッグ１０により形成される電気容量を充電する電流である。例えば、電極の面積Ｓ＝１０ｃｍ２、薬液バッグの外壁厚さｄ＝３００μｍ、外壁の誘電率ε０＝２．３、真空の誘電率ε＝８．８５×１０−１２とすると、金属面と薬液の間の静電容量Ｃ＝ε０ε（Ｓ／ｄ）＝６７０ｐＦである。静電容量に直流電圧を印加するときの充電電流は、時間ｔ＝０の時最大であり、時間の経過と共に減少する。
【００１４】
図１及び図２に示す輸液バッグに収容される薬剤Ｍ１、Ｍ２の事例は、経中心静脈栄養療法の開始液や維持液として使用できる高カロリー輸液用の糖・電解質液に、アミノ酸液を加えた輸液製剤である。この場合、第１室１２にアミノ酸液を収容し第２室２２に糖と電解質液を収容し、投与時に第１室又は第２室を外から押圧して隔離手段を離間させ両室の液を混合する。３種類以上の輸液剤の場合、脂肪乳剤やビタミン類は、第１室又は第２室以外の３以上の薬剤収容室に収容されることにより好ましい輸液製剤の態様となるが、輸液剤となるものであれば、これに限定されない。
【００１５】
輸液バッグ１０を形成する熱可塑性樹脂は、例えばポリエチレン、ポリプロピレン、エチレン−α−オレフィン共重合体のごときポリオレフィン、ポリスチレン、ポリカーボネート、ポリエチレンテレフタレートやポリブチレンテレフタレートのごときポリエステル、ポリアセタール、ポリアミド、ポリフェニレンエーテル、ポリエーテルサルホン、ポリサルホン、エチレン−酢酸ビニル共重合体、ポリ塩化ビニル、ポリ塩化ビニリデン、ポリフェニレンサルファイド、フッ素樹脂、アクリル樹脂、環状ポリオレフィンなどである。これらの中でも、ポリエチレン、ポリプロピレン、エチレン−α−オレフィン共重合体、ポリエチレンテレフタレートが好ましい。ポート部材１８は、中空針を刺通することができるゴム栓（図示せず）を備えて第１室１２へ薬液を注入可能又は第１室１２から薬液を抽出可能に構成される。ポート部材１８の筒体部分は、ＶＩＣＡＴ軟化点が１２１℃以上のプロピレン・α−オレフィンランダム共重合体により形成され得る。
【００１６】
図３は、本発明の検出装置の第１電極及び第２電極が組み込まれたコンベア設備８０の概略平面図であり、図４は、図３のコンベア設備８０の概略側面図である。コンベア設備８０は、４本の第１コンベアベルト７２、７４、７６、７８、各第１ベルトに係合する駆動面７１、７３、７５、７７を有する第１駆動軸７０、各第１ベルトに係合する従動プーリ７１’、７３’、７５’、７７’を含む。コンベア設備８０は、更に３本の第２コンベアベルト９２、９４、９６、各第２ベルトに係合する駆動面９１、９３、９５を有する第２駆動軸９０、各第２ベルトに係合する従動プーリ９１’、９３’、９５’を含む。
【００１７】
輸液バッグ１０は、通常、第１コンベアベルト７２、７４、７６、７８から第２コンベアベルト９２、９４、９６へ搬送され、検査により隔壁の密閉不良やピンホールの存在が検出されると、図４に示すように、第２コンベアベルト９２、９４、９６の従動プーリ側が空気シリンダ１０１により上昇され、搬送路から外される。３本の第２コンベアベルト９２、９４、９６に平行に保持台９８、９９が配置され、搬送される輸液バッグ１０を支持する。
【００１８】
図３に示すように、コンベア設備８０の第１乃至第３上面８２、８３、８４がそれぞれ第１コンベアベルト７２、７４、７６、７８の間に配置され、輸液バッグ１０の移動に同期し昇降される。第１電極４２の金属面４２’及び第２電極５２の金属面５２’が、それぞれ第１上面８２及び第２上面８４に取り付けられる。第２上面８３は、電極が配置されず、上昇時に輸液バッグ１０の中央部分を支持する。後述するように、輸液バッグ１０が第１乃至第３上面８２、８３、８４上に移動されたとき、これらの上面が上昇される。
【００１９】
コンベア設備８０は、第１乃至第３上面を昇降させるため、クランク軸８７、コンロッド８６、昇降ガイド８９、８９’等を含む。クランク軸８７の回転運動は、第１乃至第３上面８２−８４の昇降動作が輸液バッグ１０の位置に同期するように図示しない制御手段により制御される。クランク軸８７の回転速度は、例えば、毎分３３回転である。第１上面８２に配置された第１電極の金属面４２’及び第３上面８４に配置された第２電極の金属面５２’は、輸液バッグ１０の移動に同期して上昇され、図１に示すようにそれぞれ輸液バッグ１０の第１室１２の外壁４４及び第２室２２の外壁５４に同時且つ瞬時に接する。
【００２０】
第１電極の金属面４２’が輸液バッグ１０の第１室１２の外壁４４に接し、同時に第２電極の金属面５２’が輸液バッグ１０の第２室２２の外壁５４に接するとき、外壁４４を挟む金属面４２’及び第１薬液Ｍ１により電気容量Ｃ１が形成され、外壁４５を挟む金属面５２’及び第２薬液Ｍ２により電気容量Ｃ２が形成される。そして隔壁３２に接着不良等によるピンホールがない場合、隔壁３２を挟む第１薬液Ｍ１及び第２薬液Ｍ２により電気容量Ｃ３が存在する。電気容量Ｃ３は、隔壁３２がある幅を有し第１薬液Ｍ１と第２薬液Ｍ２が比較的大きく離間されるから、比較的小さな値を有する。この状態は、図５の等価回路に示され、Ｃ１、Ｃ２及びＣ３により形成される合成の電気容量は小さい。そのため電流計６２は比較的小さな充電電流値を検出する。なお、図５において、第１薬液Ｍ１及び第２薬液Ｍ２の抵抗値はきわめて微小なため、本図においては省略した。
【００２１】
もし隔壁３２に接着不良等によるピンホールがある場合、隔壁３２を挟む第１薬液Ｍ１及び第２薬液Ｍ２の間に電気容量はほぼ存在せず、図６の等価回路に示すように、導体である薬液により形成される電気抵抗Ｒが存在することになる。Ｃ１、Ｃ２及び抵抗Ｒにより形成される合成電気容量は、図５の場合と比較して大きくなり、そのため電流計６２は比較的大きな充電電流値を検出する。
【００２２】
図７は、図１及び図２に示すような検出装置及び輸液バッグを用いた実験の結果を示す図表であり、電極面積及び電極形態を変更した場合の検出された電流値を示す。図７において、「押圧印加」は、測定すべき薬液バッグの第１室及び第２室の下方に第１電極及び第２電極をそれぞれ設置しておき、両電極の間に１０ｋＶの直流電圧を瞬時に印可した場合を指す。「移動印加」は、第１電極及び第２電極を両電極間に予め１０ｋＶの直流電圧を印可した状態とし、測定すべき薬液バッグの第１室及び第２室をそれぞれ第１電極及び第２電極上へ徐々に移動させた場合を指す。「良品」及び「良」は、輸液バッグが良好な状態の隔壁を有し隔壁に密閉不良又はピンホールがないものを指しており、「不良品」及び「不良」は、比較のために輸液バッグの隔壁を開通させ第１室及び第２室を連通させた輸液バッグを指す。
【００２３】
図７は、次のように分析される。
（１）「押圧印加」及び「移動印加」の両者において、また「不良品」及び「良品」の両者において、電極面積が大きいと電流値が大きい。
（２）「押圧印加」及び「移動印加」の両者において、全般的に「不良品」の場合の電流値が「良品」の場合の電流値より大きい。
（３）「押圧印加」の場合が、全般的に「移動印加」の場合より感度（不良／良の電流値の比率）が高い。
（４）「押圧印加」においては、電極面積が大きいとき、感度（不良／良の電流値の比率）が高い。
（５）図７の形態においては、「押圧印加」且つ電極面積を大きくすることにより、輸液バッグの隔壁のピンホールの有無を高精度で判定することが可能である。
なお、印可する電圧は３０００ボルト以上の高電圧を供給することが好ましく、より好ましくは８０００ボルト以上の高電圧を供給することである。電極面積は、多室容器の外壁面積および電極間の絶縁破壊距離に応じて設定されるものであるが、より好ましくは１０ｃｍ２以上であり、一般的な多室容器においては１００ｃｍ２程度が好ましい。
【００２４】
図８は、図１に示すような検出装置（電源は１０ｋＶの直流電圧）と、輸液バッグ（ピーエヌツイン−２号／味の素ファルマ製）を用いた実験の結果を示す表である。図８の表において、開通状態は、ピンホールの直径（開通巾、μｍ）、及び開通箇所で示される。開通箇所の「中央」、「右端」、「左端」は、それぞれ隔壁の平面（図２）における中央、上方端部、下方端部に相当する。検出値［μＡ］は、５回の測定値の内の最大値である。各開通巾の作成方法は、それぞれの開通巾の太さの金属線を隔壁部に挟んで隔壁を強溶着しその後に金属線を抜き取る工程からなる。図８の表において、Ｓ／Ｎ比は、検出値［μＡ］と良品の場合の電流値［１０μＡ］の比である。図８の表によれば、開通巾が２０μｍ〜４０００μｍの場合、開通箇所に拘わらず、Ｓ／Ｎ比が十分大きく、ピンホールの有無の判定が高精度で可能であることを示す。
【００２５】
図９は、本発明の検出装置１４０を用いて輸液バッグ１１０の第１室１２と第２室２２の間の連通可能な隔壁３２におけるピンホール（密着不良）、第２室２２と第３室１１２の間の連通可能な隔壁１３２におけるピンホールを検出する原理を示す配置図であり、輸液バッグ１１０は概略断面図により示される。図９に示す輸液バッグ１１０は、薬液Ｍ１を収容する第１室１２、薬液Ｍ２を収容する第２室２２、薬液Ｍ３を収容する第３室１１２、第１室と第２室の間に配置される連通可能な隔壁３２、第２室と第３室の間に配置される連通可能な隔壁１３２、薬液を輸液バッグ内部から外部へ送出させるためのポート部１８、及び吊り下げ用の孔２６を備える。薬液Ｍ１、Ｍ２及び薬液Ｍ３は導電性であり、第１室、第２室、第３室、隔壁３２等は、柔軟な非導電性樹脂により作られる。
【００２６】
図９の配置図において、輸液バッグ１１０は、薬液Ｍ３を収容した第３室及び第２室と第３室の間の隔壁１３２を備える以外は、図１の輸液バッグと同様であり、第１室１２、第２室２２及び第３室１１２は、２枚重ねた柔軟な非導電性樹脂フィルム２０の周縁部を相互に強固に接着して形成される袋状空間を、隔壁３２、１３２により仕切ることにより形成される。隔壁３２、１３２は、樹脂フィルム２０の隣接する上下の表面を加熱溶融させる方法等により連通可能に接着することにより形成される。隔壁３２は、第１室又は第２室の薬液を外部から押圧することにより開放され、それにより輸液バッグ１１０の第１室と第２室が連通され、薬液Ｍ１とＭ２が混合される。隔壁１３２は、第２室又は第３室の薬液を外部から押圧することにより開放され、それにより輸液バッグ１１０の第２室と第３室が連通され、薬液Ｍ２とＭ３が混合される。
【００２７】
隔壁３２は、連通可能に弱い接着力で接着されるため、しばしば第１室１２及び第２室２２を連通するような接着不良、即ちピンホールを含む。同様に、隔壁１３２は、連通可能に弱い接着力で接着されるため、しばしば第２室２２及び第３室１１２を連通するような接着不良、即ちピンホールを含む。各室に収容される薬液は、例えば、Ｍ１が糖・電解質溶液、Ｍ２がアミノ酸溶液、Ｍ３が脂肪・ビタミン類溶液である。
【００２８】
図９の配置図において、ピンホールを検出する検出装置１４０は、第１室１２の外壁４４に接して配置される金属面を有する第１電極４２、第２室２２の外壁５４に接して配置される金属面を有する第２電極５２、第３室１１２の外壁１４４に接して配置される金属面を有する第３電極１４２、各電極に接続される直流電源６４、及び電流計６２を含む。第１室の外壁４４に第１電極４２の金属面が接触され、第２室の外壁５４に第２電極５２の金属面が接触され、第３室の外壁１４４に第３電極１４２の金属面が接触され、直流電源６４から第２電極５２へ正の電圧が印加され、且つ直流電源６４から第１電極４２及び第３電極１４２へ電流計６２を介して負の電圧が印加されるときに電流計６２により検出される電流値に基づいて隔壁３２及び隔壁１３２における密閉不良即ちピンホールを検出する。
【００２９】
図９の配置図において、隔壁３２及び隔壁１３２のいずれにもピンホールがなく良品である場合は、電流計は小さい電流値を示し、隔壁３２及び隔壁１３２のいずれか一方又は両方にピンホールがある場合は、電流計は大きい電流値を示す。それ故、図９の配置の場合、どの隔壁が不良であるかは検出できないが、多室容器の隔壁にピンホールがあるか否かを判定できる。輸液バッグ等においては、複数の隔壁のいずれかが不良であれば、不良品となるので、このような判定を利用することができる。また第１電極乃至第３電極の金属面は、第１室乃至第３室の外壁に同時且つ瞬時に接する。
【００３０】
前記実施の形態においては３室を有する多室容器の隔壁のピンホールを検出する検出装置において、電流計を１個用いたので、どの隔壁が不良であるかは検出できないが、第１電極４２と直流電源６４の間及び第３電極１４２と直流電源６４の間に各々電流計を接続すれば、どの隔壁が不良であるかを検出できる。また、各電極間に直流電源と電流計を各々接続しても、目的を達成でき、３室以上の多室容器の隔壁のピンホールを高精度に検出できる。
第１電極乃至第３電極の金属面を第１室乃至第３室の外壁に同時且つ瞬時に接することにより、各々の隔壁の密閉不良を同時に検出できる形態を示したが、最初に第１電極と第２電極の金属面を第１室と第２室の外壁に瞬時に接触させて第１室と第２室の隔壁の密閉不良を検出した後、次に第２電極と第３電極の金属面を第２室と第３室の外壁に瞬時に接触させて第２室と第３室の隔壁の密閉不良を分けて高精度に検出できることは言うまでもない。
【００３１】
なお、本発明における電極の材質は、導電性であればいずれも使用できるが、導電性材料、例えば金属、カーボン、導電性樹脂等があげられる。好ましくは、金属である。より好ましくは、衛生面・耐腐食性を考慮するとステンレスである。
また、本発明の電極形状としては、多室容器の壁面の形状に適合して密着する形状の平面、凹面又は凸面などを含む。
本発明の電極の被検査物に対して接触する電極面積は、外乱が生じない程度に大きければ大きいほど好ましく、好ましくは１０ｃｍ２以上である。
【００３２】
本発明においては、直流電源を瞬時に印加することを特徴とするので、原理的に暗電流が少なく、検出精度に影響する外乱の影響を最小にすることができ、十分なＳ／Ｎ比を得ることができるため、高精度の検出が一つの装置で可能となる。なお、直流電圧の印加は瞬時とあるが、好ましくは１ミリ秒以内、より好ましくは０．１ミリ秒以内に所定電圧まで立ち上がることが好ましい。
【００３３】
電極を下方から押し上げて輸液バッグの外壁を押圧することにより、電極が輸液バッグの外壁により確実に押圧され、加えて多室容器の自重により容器の外壁が多室容器の電極に押圧されると、良好に密着し、そのためそれらの間の静電容量が一定となり、さらに精度の高い電流測定値が得られる。なお、第２上面８３を電極と共に上昇させれば中央部が支持されるため、電極のみが上昇する場合に比較し柔軟な多室容器の形が曲折されないので、電極との良好な密着が得られる。また、電極を下方から押し上げることにより、多室容器に不要な圧力がかかることがなく、検査時の押圧による意図しない隔壁が連通されるリスクを避けることができる。本装置における電極を搬送設備の搬送路中に配置し、電極の上昇による多室容器の押圧を輸液バッグの搬送に伴い行えば、コンベア上の被検査物を止める時間を最小にしコンベア上でほぼ連続的に搬送しながら、高速で検査できる。
【図面の簡単な説明】
【００３４】
【図１】本発明の検出装置を用いて輸液バッグの第１室と第２室の間の連通可能な隔壁におけるピンホール（密着不良）を検出する原理を示す配置図。
【図２】図１の検出装置により検査可能な輸液バッグの概略平面図。
【図３】本発明の検出装置の電極が組み込まれたコンベア設備の概略平面図。
【図４】図３のコンベア設備の概略側面図である。
【図５】本発明の検出装置の原理を示す電気的な等価回路図であり、ピンホールのない輸液バッグを検査する状態を示す等価回路図。
【図６】本発明の検出装置の原理を示す電気的な等価回路図であり、ピンホールがある輸液バッグを検査する状態を示す等価回路図。
【図７】電極面積及び電極形態を変更した場合の電流の測定値を示す図表である。
【図８】本発明の検出装置と輸液バッグを用いた１つの実験の結果を示す表である。
【図９】本発明の検出装置を用いて輸液バッグの第１室と第２室の間の連通可能な第１隔壁におけるピンホール並びに第２室と第３室の間の連通可能な第２隔壁におけるピンホールを検出する原理を示す配置図である。
【符号の説明】
【００３５】
１０：輸液バッグ、１２：第１室、１４、１６：周縁部、１８：ポート部、２２：第２室、２４：周縁部、２６：吊り下げ孔、３２：隔壁、４０：検出装置、４２：第１電極、４２’：第１電極の金属面、４４：外壁、５２：第２電極、５２’：第２電極の金属面、５４：外壁、６１：導線、６２：電流計、６４：直流電源、７０：第１駆動軸、７１、７３、７５、７７：第１駆動面、７２、７４、７６、７８：第１コンベアベルト、７１’、７３’、７５’、７７’：第１従動プーリ、８０：コンベア設備、８２：第１上面、８３：第２上面、８４：第３上面、８６：コンロッド、８７：クランク軸、８９、８９’：昇降ガイド、９０：第２駆動軸、９１、９３、９５：第２駆動面、９２、９４、９６：第２コンベアベルト、９１’、９３’、９５’：第２従動プーリ、９８、９９：保持台、１０１：空気シリンダ、１１２：第３室、１３２：第２隔壁。１４２：第３電極、１４４：外壁。Ｃ１、Ｃ２、Ｃ３：コンデンサー、Ｍ１：第１薬液、Ｍ２：第２薬液、Ｍ３：第３薬液、Ｒ：抵抗。
【図１】
2005331469.tif 000003
【図２】
2005331469.tif 000004
【図３】
2005331469.tif 000005
【図４】
2005331469.tif 000006
【図５】
2005331469.tif 000007
【図６】
2005331469.tif 000008
【図７】
2005331469.tif 000009
【図８】
2005331469.tif 000010
【図９】
2005331469.tif 000011